Podtech/llm-jp-corpus-v4-ja_patent huggingface dataset:
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
外科器具（１２）を再処理するための再処理デバイス（１０）用の流体分配器（１１）において、それぞれの場合に、第１の入口（１７）及び第１の出口（１８）を有する第１の流体穴（１５，１６）を有する第１の流体ルーティング本体（１３）を有し、第２の入口（２４）及び第２の出口（２５）を有する少なくとも２つの第２の流体穴（２０，２３）を有する第２の流体ルーティング本体（１４）を有する、流体分配器（１１）であって、前記第１の流体ルーティング本体（１３）及び前記第２の流体ルーティング本体（１４）は、回転軸（２７）に対して回転可能であり、それにより、前記第１の流体穴（１５，１６）は前記少なくとも２つの第２の流体穴（２０，２３）と所定のシーケンスで流体連通する、流体分配器（１１）。
【請求項２】
少なくとも２つの第１の流体穴（１５，１６）は前記第１の流体ルーティング本体（１３）内に設けられることを特徴とする、請求項１に記載の流体分配器（１１）。
【請求項３】
ｍにｎを乗じた数の第２の流体穴（２０，２１，２２，２３）は、前記第２の流体ルーティング本体（１４）内に設けられ、ｎの第１の流体穴（１５，１６）は前記第１の流体ルーティング本体（１３）内に設けられ、ｎ及びｍは自然数であり、ｎは１より大きく、ｍは１以上であることを特徴とする、請求項１又は２に記載の流体分配器（１１）。
【請求項４】
前記第１の流体穴（１５，１６）の前記第１の出口（１８）及び前記第２の流体穴（２０，２１，２２，２３）の前記第２の入口（２４）は、前記回転軸（２７）から同じ距離にあることを特徴とする、請求項１〜３のいずれか１項に記載の流体分配器（１１）。
【請求項５】
前記第１の流体穴（１５，１６）の第１の出口（１８）の少なくとも２つの列（ｒｏｗ）及び前記第２の流体穴（２０〜２３）の第２の入口（２４）の少なくとも２つの列が設けられ、前記第１の流体穴（１５，１６）の前記第１の出口（１８）から前記回転軸（２７）までの各列の距離は、前記第２の流体穴（２０〜２３）の前記第２の入口（２４）の列から前記回転軸（２７）までの列の距離に対応することを特徴とする、請求項１〜３のいずれか１項に記載の流体分配器（１１）。
【請求項６】
中空円筒（４１）が設けられ、前記中空円筒（４１）内に、前記第１及び第２の流体ルーティング本体（１３，１４）が配置される、又は、前記第１又は第２の流体ルーティング本体（１３，１４）は、前記第１の流体穴（１５，１６）又は前記第２の流体穴（２０〜２３）を端面（４２）に有する中空円筒ポットとして設計され、他の流体ルーティング本体（１４，１３）が前記ポット内に配置されることを特徴とする、請求項１〜５のいずれか１項に記載の流体分配器（１１）。
【請求項７】
平坦シール（４５）は、前記第１の流体ルーティング本体（１３）の端面（４３）と前記第２の流体ルーティング本体（１４）の端面（４４）との間に配置され、前記第２の流体ルーティング本体（１４）に対する前記第１の流体ルーティング本体（１３）の相対的回転移動を可能にすることを特徴とする、請求項１〜６のいずれか１項に記載の流体分配器（１１）。
【請求項８】
シャフトシール（４６）が設けられ、前記シャフトシール（４６）は、前記中空円筒（４１）と前記第１及び／又は第２の流体ルーティング本体（１３，１４）との間のシールを提供する、又は、中空円筒ポットとして設計される前記第１又は第２の流体ルーティング本体（１３，１４）と他の流体ルーティング本体（１４，１３）との間のシールを提供することを特徴とする、請求項６又は７に記載の流体分配器（１１）。
【請求項９】
請求項１〜８のいずれか１項に記載の流体分配器（１１）によって、外科器具（１２）を再処理するための再処理デバイス（１０）。
【請求項１０】
外科器具（１２）を再処理するための再処理デバイス（１０）における、請求項１〜８のいずれか１項に記載の流体分配器（１１）の使用法。
【請求項１１】
前記外科器具（１２）は内視鏡である、請求項１〜８のいずれか１項に記載の流体分配器（１１）。
【請求項１２】
請求項１１に記載の流体分配器（１１）によって、内視鏡を再処理するための再処理デバイス（１０）。
【請求項１３】
内視鏡を再処理するための再処理デバイス（１０）における、請求項１１に記載の流体分配器（１１）の使用法。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
患者の超音波画像データを取得する超音波プローブを有する超音波取得ユニットと、
患者の３Ｄ医療画像データを受け取る画像データインタフェースと、
前記超音波プローブの位置を決定する位置決定ユニットと、
前記超音波プローブの複数の位置において前記超音波画像データと前記３Ｄ医療画像データとの間の伝達関数を決定し、対応する複数の較正された伝達関数及び較正位置を提供する較正ユニットと、
前記超音波プローブの位置及び前記複数の較正された伝達関数に基づいて、前記超音波画像データ及び前記３Ｄ医療画像データを同期させる計算ユニットであって、前記超音波プローブの位置に基づいて前記較正された伝達関数を重み付けるよう構成されている、計算ユニットと、
を有する、医療イメージング装置。
【請求項２】
前記計算ユニットは、前記超音波プローブと前記複数の較正位置の間の距離に基づいて、前記較正された伝達関数を重み付ける、請求項１に記載の医療イメージング装置。
【請求項３】
前記計算ユニットは、前記超音波プローブの先端部の予め規定された位置と前記複数の較正位置との間の距離に基づいて、前記較正された伝達関数を重み付ける、請求項２に記載の医療イメージング装置。
【請求項４】
前記計算ユニットは、前記超音波画像データ内の予め規定された位置と前記複数の較正位置との間の距離に基づいて前記較正された伝達関数を重み付ける、請求項２に記載の医療イメージング装置。
【請求項５】
前記超音波画像データ内の前記予め規定された位置が前記超音波画像データの中心である、請求項４に記載の医療イメージング装置。
【請求項６】
前記計算ユニットは更に、相対重み係数によって前記較正された伝達関数を重み付ける、請求項１に記載の医療イメージング装置。
【請求項７】
前記計算ユニットは更に、絶対重み係数に基づいて前記較正された伝達関数を重み付ける、請求項１に記載の医療イメージング装置。
【請求項８】
前記較正ユニットは更に、各々の較正位置について３Ｄ剛体変換を決定する、請求項１に記載の医療イメージング装置。
【請求項９】
前記計算ユニットは更に、重み係数によって重み付けられた前記較正された伝達関数に基づいて、前記超音波プローブの現在位置について一般伝達関数を決定する、請求項１に記載の医療イメージング装置。
【請求項１０】
前記同期された超音波画像データ及び３Ｄ医療画像データに基づいて、融合画像データを提供する画像処理ユニットと、
表示ユニットに前記融合画像データを提供する画像データインタフェースと、
を更に有する、請求項１に記載の医療イメージング装置。
【請求項１１】
複数の異なる医療画像データを組み合わせる医療イメージング方法であって、
前記超音波プローブによって患者の超音波データを取得するステップと、
前記患者の３Ｄ医療画像データを受け取るステップと、
位置決定ユニットによって前記超音波プローブの位置を決定するステップと、
前記超音波プローブの複数の位置において前記超音波画像データと前記３Ｄ医療画像データとの間の伝達関数を決定し、対応する複数の較正された伝達関数及び較正位置を提供するステップと、
前記超音波プローブの位置及び前記複数の較正された伝達関数に基づいて前記超音波画像データ及び前記３Ｄ医療画像データを同期させるステップであって、前記較正された伝達関数が、前記超音波プローブの位置に基づいて重み付けされることを含む、ステップと、
を含む方法。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
食品を調理するように構成される少なくとも１つの選択的に閉塞可能なフライポット（１０３）であって、食品のためのアクセス開口を含む少なくとも１つの選択的に閉塞可能なフライポット（１０３）と、
食品を調理するように構成される少なくとも１つの開放フライポット（１０１，１０２）であって、開放フライプラットフォームを作動するように構成される、開放フライポット（１０１，１０２）と、
前記アクセス開口を選択的に閉塞して、前記選択的に閉塞可能なフライポット（１０３）を密閉するように構成されるカバー（１０５）であって、閉塞位置から開放位置に移動可能であるカバー（１０５）と、
前記閉塞位置において前記カバー（１０５）を係止するように構成される係止機構（４００）と、
前記カバー（１０５）に枢動的に連結されたハンドル（１０６）であって、前記係止機構（４００）を、係止解除位置から、閉塞位置において前記カバー（１０５）を係止する係止位置へ移動するように構成される、ハンドル（１０６）と、
を含む組み合わせ圧力及び開放フライ装置（１００）であって、
前記選択的に閉塞可能なフライポット（１０３）は、前記カバー（１０５）が前記閉塞位置において係止されるときに、圧力フライプラットフォームとして作動するように構成され、前記選択的に閉塞可能なフライポット（１０３）は、前記カバー（１０５）が前記開放位置にあるときに、開放フライプラットフォームとして作動するように構成される、
組み合わせ圧力及び開放フライ装置。
【請求項２】
前記少なくとも１つの選択的に閉塞可能なフライポットに動作的に接続される空気ポンプを更に含み、
該空気ポンプは、前記少なくとも１つの選択的に閉塞可能なフライポットを所定の空気圧に加圧するように構成される、
請求項１に記載の組み合わせ圧力及び開放フライ装置。
【請求項３】
前記少なくとも１つの開放フライポット及び前記少なくとも１つの選択的に閉塞可能なフライポットに動作的に接続される共通の濾過ユニットを更に含み、
該共通の濾過ユニットは、前記少なくとも１つの開放フライポット及び前記少なくとも１つの選択的に閉塞可能なフライポットの各々から調理媒体を濾過するように構成される、
請求項１に記載の組み合わせ圧力及び開放フライ装置。
【請求項４】
前記少なくとも１つの開放フライポットに動作的に接続される第１の濾過ユニットと、
前記少なくとも１つの開放フライポットに動作的に接続される第２の濾過ユニットと、
を更に含み、
前記第１の濾過ユニット及び前記第２の濾過ユニットの各々は、前記少なくとも１つの開放フライポット及び前記少なくとも１つの選択的に閉塞可能なフライポットの各々から調理媒体を別個に濾過するようにそれぞれ構成される、
請求項１に記載の組み合わせ圧力及び開放フライ装置。
【請求項５】
前記カバーは、前記選択的に閉塞可能なフライポットが前記開放フライプラットフォームとして作動するように構成されるときに、前記カバーを前記開放位置において保持するように構成される保持開放ヒンジによって、当該組み合わせ圧力及び開放フライ装置に連結される、
請求項１に記載の組み合わせ圧力及び開放フライ装置。
【請求項６】
前記カバーの前記ハンドルは、換気フードの部分と係合して、前記カバーを前記開放位置において保持するように構成される、
請求項１に記載の組み合わせ圧力及び開放フライ装置。
【請求項７】
前記ハンドルが、前記カバーの前面からオフセットさせられ、前記係止機構を作動させるように構成され、前記ハンドルが、前記カバーを係止する係止位置及び前記カバーを係止解除する係止解除位置から移動するように構成され、
前記係止機構は、ラッチに動作的に連結される幅方向に延びるピンを含み、該ピンは、前記ハンドルに連結され、該ピンは、前記幅方向に対して概ね垂直な方向に前記ラッチを移動させて、前記カバーを選択的に係止するように構成され、
前記ラッチが、前記カバーの前面にある開口を通じて延びて、ストライクと係合して、前記カバーを係止するように構成されている、
請求項１に記載の組み合わせ圧力及び開放フライ装置。
【請求項８】
前記係止機構は、
前記ピンに連結される偏心カムであって、前記ピンと共に回転するように構成される偏心カムと、
レバー開放位置からレバー係止位置に移動するよう前記偏心カムの係合部分と係合するレバーと、
前記レバー係止位置において前記レバーを付勢して、前記ラッチを前記ストライクと安全に係合させて、前記カバーを係止するように構成される、付勢部材とを更に含む、
請求項７に記載の組み合わせ圧力及び開放フライ装置。
【請求項９】
前記開放位置にある前記カバーは、前記選択的に閉塞可能なフライポットの前記アクセス開口に対して少なくとも５０°で開放される、
請求項１に記載の組み合わせ圧力及び開放フライ装置。
【請求項１０】
前記ラッチは、ヒンジ付きラッチであり、
前記ラッチは、
前記ピンに動作的に接続される第１のヒンジ部分と、
該第１のヒンジ部分に枢動的に接続される第２のヒンジ部分であって、前記ストライクと係合して前記カバーを係止するように構成される遠位端を含む第２のヒンジ部分とを含む、
請求項８に記載の組み合わせ圧力及び開放フライ装置。
【請求項１１】
当該組み合わせ圧力及び開放フライ装置は、開放フライポット及び閉塞可能なフライポットの異なる構成を提供するよう、少なくとも２つの開放フライポット又は少なくとも２つの選択的に閉塞可能なフライポットを含む、
請求項１に記載の組み合わせ圧力及び開放フライ装置。
【請求項１２】
前記係止機構を定める要素の少なくとも部分が、前記カバー内に取り囲まれて、前記少なくとも１つの選択的に閉塞可能なフライポットのためのコンパクトな構成を提供する、
請求項８に記載の組み合わせ圧力及び開放フライ装置。
【請求項１３】
前記ハンドルが、前記係止機構を前記係止位置に移動させるときに、バネによって付与されるバネ付勢に対抗して枢動的に移動する、
請求項１に記載の組み合わせ圧力及び開放フライ装置。
【請求項１４】
前記バネが、前記カバー内に配置されている、
請求項１３に記載の組み合わせ圧力及び開放フライ装置。
【請求項１５】
前記カバーは、前記係止機構が前記係止解除位置にあるときに、前記カバーを前記開放位置に向かって付勢するように構成される保持開放ヒンジによって当該組み合わせ圧力及び開放フライ装置に連結され、前記保持開放ヒンジが、前記選択的に閉塞可能なフライポットが前記開放フライプラットフォームとして作動するように構成されるときに、前記カバーを前記開放位置において保持するように構成される、
請求項１４に記載の組み合わせ圧力及び開放フライ装置。
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
軸方向磁束誘導電気機械用のロータであって、
強磁性物質から一体的に形成され、第１及び第２対向面を有する円環板状の中央フレームであって、前記第１及び第２対向面の各々は、そこから伸びている成形突起を有する中央フレームと、
非強磁性の導電性物質から一体的に形成される第１及び第２外側フレームであって、前記各外側フレームは内周部及び外周部、及び前記内周及び外周部をガルバニック接続している複数の棒を有し、隣接する棒と前記内周及び外周部の間に、間隙部が画定され、前記間隙部は前記中央フレームの前記成形突起に補完的に成形される第１及び第２外側フレームと、
を備え、
前記外側フレームの前記間隙部内に伸びている前記成形突起により、前記第１外側フレームは前記中央フレームの前記第１面にはり付けられ、前記第２外側フレームは前記中央フレームの前記第２面にはり付けられるロータ。
【請求項２】
請求項１に記載のロータであって、
前記複数の棒は、前記内周及び外周部の間を放射状に延びるロータ。
【請求項３】
請求項１又は請求項２のいずれか１項に記載のロータであって、
前記複数の棒は、導電性物質から形成されるロータ。
【請求項４】
請求項３に記載のロータであって、
前記複数の棒は、前記第１及び第２外側フレームと同一の導電性物質から形成されるロータ。
【請求項５】
請求項１乃至４のいずれか１項に記載のロータであって、
前記各外側フレームは、さらに、前記内周及び外周部の間に配置され、前記複数の棒と交差する少なくとも１つの中間部を含むロータ。
【請求項６】
軸方向磁束誘導電気機械用のロータであって、
強磁性物質から一体的に形成され、第１及び第２対向面を有する円環板状の中央フレームであって、前記第１及び第２対向面の各々は、そこから伸びている成形突起を有する中央フレームと、
非強磁性の導電性物質から一体的に形成される第１及び第２外側フレームであって、前記各外側フレームは内周部、外周部、及び前記外周及び内周部の間に少なくとも１つの中間部を含む第１及び第２外側フレームと、
前記内周及び前記少なくとも１つの中間部及び前記外周部をガルバニック接続している複数の棒であって、隣接する棒と前記内周、前記少なくとも１つの中間部及び前記外周部の間に、間隙部が画定され、前記間隙部は前記中央フレームの前記成形突起に補完的に成形される複数の棒と、
を備え、
前記外側フレームの前記間隙部内に伸びている前記成形突起により、前記第１外側フレームは前記中央フレームの前記第１面にはり付けられ、前記第２外側フレームは前記中央フレームの前記第２面にはり付けられるロータ。
【請求項７】
請求項６に記載のロータであって、
前記複数の棒は、前記内周部から放射状に延びるロータ。
【請求項８】
請求項１乃至７のいずれかに記載のロータであって、
前記強磁性物質は、鋼鉄であるロータ。
【請求項９】
請求項１乃至８のいずれか１項に記載のロータであって、
前記非強磁性物質は、アルミニウムであるロータ。
【請求項１０】
請求項１乃至８のいずれか１項に記載のロータであって、
前記非強磁性物質は、銅であるロータ。
【請求項１１】
請求項１乃至１０のいずれか１項に記載のロータであって、
前記中央フレームは、フライス加工、レーザー切断、水ジェット切断又は放電加工のプロセスにより形成されるロータ。
【請求項１２】
請求項１乃至１０のいずれか１項に記載のロータであって、
前記中央フレームは、鋳造プロセスにより形成されるロータ。
【請求項１３】
請求項１乃至１２のいずれか１項に記載のロータであって、
前記各外側フレームは、フライス加工、レーザー切断、水ジェット切断又は放電加工のプロセスにより形成されるロータ。
【請求項１４】
請求項１乃至１２のいずれか１項に記載のロータであって
前記各外側フレームは、鋳造プロセスにより形成されるロータ。
【請求項１５】
請求項１４に記載のロータであって、
前記各外側フレームは、前記中央フレーム上に直接的に鋳造されるロータ。
【請求項１６】
請求項１乃至１５のいずれか１項に記載のロータであって、
前記棒の数は、前記軸方向磁束電気機械の固定子における溝の数との比率に基づいて選択されるロータ。
【請求項１７】
請求項１６に記載のロータであって、
前記比率は、固定子の溝と比較して棒の比率が高いロータ。
【請求項１８】
請求項１７に記載のロータであって、
前記比率は１．６６６：１であるロータ。
【請求項１９】
請求項１乃至１８のいずれか１項に記載のロータを含み、第１固定子及び第２固定子の中間に画定された間隙に設けられていること
を特徴とする軸方向磁束電気機械。
【手続補正書】
【提出日】平成30年9月11日(2018.9.11)
【手続補正１】
【補正対象書類名】明細書
【補正対象項目名】配列表
【補正方法】追加
【補正の内容】
【配列表】
2018509178000001.app
【手続補正２】
【補正対象書類名】明細書
【補正対象項目名】００８９
【補正方法】変更
【補正の内容】
【００８９】
【表３】
2018509178.tif 000001
2018509178.tif 000002
2018509178.tif 000003
【手続補正３】
【補正対象書類名】明細書
【補正対象項目名】００９０
【補正方法】変更
【補正の内容】
【００９０】
【表５】
2018509178.tif 000004
2018509178.tif 000005
【手続補正４】
【補正対象書類名】明細書
【補正対象項目名】００９１
【補正方法】変更
【補正の内容】
【００９１】
【表８】
2018509178.tif 000006
【手続補正５】
【補正対象書類名】明細書
【補正対象項目名】００９３
【補正方法】変更
【補正の内容】
【００９３】
【表２】
2018509178.tif 000007
2018509178.tif 000008
2018509178.tif 000009
【手続補正６】
【補正対象書類名】明細書
【補正対象項目名】００９９
【補正方法】変更
【補正の内容】
【００９９】
【表４】
2018509178.tif 000010
2018509178.tif 000011
2018509178.tif 000012
【手続補正７】
【補正対象書類名】明細書
【補正対象項目名】０１０４
【補正方法】変更
【補正の内容】
【０１０４】
【表７】
2018509178.tif 000013
【手続補正８】
【補正対象書類名】明細書
【補正対象項目名】０１０５
【補正方法】変更
【補正の内容】
【０１０５】
【表９】
2018509178.tif 000014
【手続補正９】
【補正対象書類名】明細書
【補正対象項目名】０１３６
【補正方法】変更
【補正の内容】
【０１３６】
【表１０】
2018509178.tif 000015
2018509178.tif 000016
【手続補正１０】
【補正対象書類名】明細書
【補正対象項目名】０１４９
【補正方法】変更
【補正の内容】
【０１４９】
５’−ビオチン−ＡＡＴＧＡＴＡＣＧＧＣＧＡＣＣＡＣＣＧＡＧＡＴＣＴＡＣＡＣ［ＢＳＢＣ］ＡＣＡＣＴＣＴＴＴＣＣＣＴＡＣＡＣＧＡＣＧＣＴＣＴＴＣＣ−３’ （配列番号４３３）
【手続補正１１】
【補正対象書類名】明細書
【補正対象項目名】０１５１
【補正方法】変更
【補正の内容】
【０１５１】
５’−スペーサー９−ＴＴＴＴＴＴＴＴＴＴ−スペーサーＣ３−ＧＧＡＡＧＡＧＣＧＴＣＧＴＧＴＡＧＧＧＡＡＡＧＡＧＴＧＴ［ＢＳＢＣ］ＧＴＧＴＡＧＡＴＣＴＣＧＧＴＧＧＴＣＧＣＣＧＴＡＴＣＡＴＴ−３’ （配列番号４３４）
【手続補正１２】
【補正対象書類名】明細書
【補正対象項目名】０１５４
【補正方法】変更
【補正の内容】
【０１５４】
５’−ビオチン−ＡＡＴＧＡＴＡＣＧＧＣＧＡＣＣＡＣＣＧＡＧＡＴＣ−３’ （配列番号４３５）
【手続補正１３】
【補正対象書類名】明細書
【補正対象項目名】０１５７
【補正方法】変更
【補正の内容】
【０１５７】
５’−ビオチン−ＡＡＴＧＡＴＡＣＧＧＣＧＡＣＣＡＣＣＧＡＧＡＴＣＴＡＣＡＣ［ＣＳＢＣ］ＡＣＡＣＴＣＴＴＴＣＣＣＴＡＣＡＣＧＡＣＧＣＴＣＴＴＣＣ−３’ （配列番号４３６）
【手続補正１４】
【補正対象書類名】明細書
【補正対象項目名】０１５９
【補正方法】変更
【補正の内容】
【０１５９】
Ｄｅｇｅｎ鋳型：
５’−ＡＡＴＧＡＴＡＣＧＧＣＧＡＣＣＡＣＣＧＡＧＡＴＣＴＡＣＡＣＮＮＮＮＮＮＮＮＮＮＡＣＡＣＴＣＴＴＴＣＣＣＴＡＣＡＣＧＡＣＧＣＴＣＴＴＣＣ−３’ （配列番号４３７）
次のプライマーをさらにカクテルに添加した：
Ｂｉｏ−ＳｈｏｒｔＦＷＤ：
５’−ビオチン−ＡＡ＋ＴＧ＋ＡＴ＋ＡＣＧＧＣＧＡＣＣＡＣＣＧＡＧａＴＣＴＡＸＸ−３’ （配列番号４３８）（１００ｎＭ最終濃度で添加する）
ＳｈｏｒｔＲＥＶ：
５’−ＧＧＡ＋ＡＧＡＧＣＧ＋ＴＣＧ＋ＴＧＴＡＧＧＧＡＡａＧＡＧＴＸＸ−３’ （配列番号４３９）（２０ｎＭ最終濃度で添加する）
Ｘ＝ｄＡ−５’−ＣＥホスホラミダイト（Ｇｌｅｎ  Ｒｅｓｅａｒｃｈ）を使用した反対方向のｄＡ。
下部の場合の残基はＲＮＡ；上部の場合の残基はＤＮＡである。
Ｎ＝Ａ、Ｔ、ＣまたはＧを組み込む可能性が同等な縮重位置。
Ａ残基の前方で「＋」は、その位置でＬＮＡヌクレオチドを指す。
【手続補正書】
【提出日】平成30年6月1日(2018.6.1)
【手続補正１】
【補正対象書類名】明細書
【補正対象項目名】００４２
【補正方法】変更
【補正の内容】
【００４２】
したがって、本アプリケーションシナリオでは、プリセット距離条件は、第２距離条件を含むことができる。第２距離条件は、プリセット信号強度閾値であってよく、この場合では、サーバ端末は、クライアント端末によって報告された受信信号強度が信号強度閾値よりも大きいかどうかを判断し、受信信号強度が信号強度閾値よりも大きい場合、クライアント端末までの距離がプリセット第２距離条件を満たしていると決定することができ、サーバ端末は、クライアント端末に、クライアント端末のアクセスビーコンに紐付けられた情報をプッシュすることができる。
【手続補正２】
【補正対象書類名】図面
【補正対象項目名】図５
【補正方法】変更
【補正の内容】
【図５】
2018509669.tif 000001
【手続補正書】
【提出日】平成30年6月8日(2018.6.8)
【手続補正１】
【補正対象書類名】明細書
【補正対象項目名】０００６
【補正方法】変更
【補正の内容】
【０００６】
また、自動保管および取り出しシステムを利用する大型倉庫は、倉庫内の製品を倉庫内で動かす際、床または地上に設置された機器に依存する。このようなシステムは倉庫保管概念、例えばパレットシャトルを含み、その場合、フォークリフトがパレットシャトル頂部に荷を載せて保管棚内のトラック（軌道）に沿って移動し、正しい位置に荷を降ろす。パレットシャトルシステムには、高密度かつ半自動であるという利点がある。可動棚システムでは、棚を横方向に平行移動してフォークリフトその他の機構が指定の棚から在庫製品を取り出す棚を生成できるよう、指定された一式の直線状トラック上で横方向に動かせる棚を実装している。このシステムは、高密度で、かつ、棚に保管されたいずれのパレットにも直接的なアクセスを可能にするという利点もある。他のシステムでは、自動スタッカー式クレーンを実装して有人フォークリフトの代わりとし、高さ約５０フィートの保管場所までアクセスすることができる。このシステムは、重いパレットだけでなく個々の箱にも利用できる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第８，６２８，２８９号明細書
（特許文献２）  米国特許出願公開第２０１３／０２０２３９２号明細書
（特許文献３）  米国特許出願公開第２０１１／０２７０４３８号明細書
（特許文献４）  米国特許出願公開第２０１４／００１７０５２号明細書
（特許文献５）  米国特許出願公開第２００３／０２３５４８６号明細書
（特許文献６）  米国特許出願公開第２０１４／００３２０３４号明細書
（特許文献７）  米国特許出願公開第２００６／００７２９８７号明細書
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
トランクリッドと、トランクリッドが開いている場合は、外部環境に対して露出する外面及び反対側の内面を有するパネルとを含む自動車であって、回転シャフトが前記パネルを貫通して内部から外部に延びると共に、ベアリングを介して前記パネルに取付けられており、前記回転シャフトは内部側では前記トランクリッドに作動自在に連結され、外部側では駆動機構に作動自在に連結されて、駆動力を内部から外部に伝達し、それによって、前記トランクリッドを閉鎖位置と開放位置との間で移動させ、前記内部側の前記駆動機構は線形アクチュエータを含むことを特徴とする自動車。
【請求項２】
前記ベアリングはシールを含むことを特徴とする請求項１に記載の自動車。
【請求項３】
前記ベアリングは、前記パネルに固定された支持ブラケット内に備えられていることを特徴とする、請求項１又は請求項２に記載の自動車。
【請求項４】
前記駆動機構はアクチュエータを含むことを特徴とする請求項１乃至請求項３のいずれか１項に記載の自動車。
【請求項５】
前記線形アクチュエータはスピンドルドライブ、油圧シリンダまたは空圧シリンダであることを特徴とする請求項１乃至請求項４のいずれか１項に記載の自動車。
【請求項６】
前記駆動機構は、前記トランクリッドの持ち上げをアシストするためのさらなる付勢力を提供するために配置された付勢部材を含むことを特徴とする請求項１乃至請求項５のいずれか１項に記載の自動車。
【請求項７】
前記駆動機構は第１アームによって前記回転シャフトに連結されていることを特徴とする請求項１乃至請求項６のいずれか１項に記載の自動車。
【請求項８】
前記駆動機構は、スリーブからのロッドの伸展部を駆動するモータが前記ロッド及び前記スリーブに対して平行に取付けられた平行スピンドルドライブを含むことを特徴とする請求項７に記載の自動車。
【請求項９】
前記平行スピンドルドライブは、固定端が前記車両の一部に取付けられ、可動端が前記第１アームに取付けられており、前記モータは可動端に取付けられていることを特徴とする請求項８に記載の自動車。
【請求項１０】
前記回転シャフトは第２アームによって前記トランクリッドに連結されていることを特徴とする請求項１乃至請求項９のいずれか１項に記載の自動車。
【請求項１１】
前記第２アームは前記第１アームに対して鈍角で取付けられていることを特徴とする請求項１０に記載の自動車。
【請求項１２】
前記第２アームは第３アームによって前記トランクリッドに連結されていることを特徴とする請求項１０又は請求項１１に記載の自動車
【請求項１３】
前記第３アームは前記第２アームに対して鋭角で取付けられていることを特徴とする請求項１２に記載の自動車。
【請求項１４】
前記第３アームは、前記第１アームから遠隔の前記第２アームの一端に回転自在に取付けられていることを特徴とする請求項１３に記載の自動車。
【請求項１５】
前記トランクリッドは前記第３アームまたは前記第２アームに旋回自在に取付けられており、前記第２アームは前記回転シャフトからピボットに向かって前方に延びていることを特徴とする請求項１０乃至請求項１４のいずれか１項に記載の自動車。
【請求項１６】
前記回転シャフトはスプラインを含むことを特徴とする請求項１乃至請求項１５のいずれか１項に記載の自動車。
【請求項１７】
前記トランクリッドが閉められている場合は、前記パネルの前記外面も外部環境に対して露出していることを特徴とする請求項１乃至請求項１６のいずれか１項に記載の自動車。
【請求項１８】
前記パネルはドレインチャンネルのサイドパネルであることを特徴とする請求項１乃至請求項１７のいずれか１項に記載の自動車。
【請求項１９】
前記ドレインチャンネルは、外側パネルと内側パネルとを含み、その間にはドレイン表面が延びており、前記回転シャフトは、前記外側パネルを貫通して、前記ドレインチャンネルの外側の内部から前記外側パネルの内側の外部まで延びていることを特徴とする請求項１８に記載の自動車。
【請求項２０】
前記トランクリッドが開けられる場合は、前記トランクリッドが前記回転シャフトの回転方向とは逆方向に回転するように、前記トランクリッドは少なくとも１つのヒンジによって前記車両に取付けられていることを特徴とする請求項１乃至請求項１９のいずれか１項に記載の自動車。
【請求項２１】
前記トランクリッドが開いている場合は、外部環境に対して露出する外面と反対側の内面と２つの回転シャフトとをそれぞれが有する２つのパネルを含むと共に、シャフトが各パネルを貫通して内部から外部に延びており、各シャフトは、外側が前記トランクリッドに作動自在に連結され、内側が駆動機構に作動自在に連結されていることを特徴とする請求項１乃至請求項２０のいずれか１項に記載の自動車。
【請求項２２】
前記パネルは前記自動車の縦中心線に対して略対称に備えられていることを特徴とする請求項２１に記載の自動車。
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
通信デバイスのためのアナログフロントエンド(AFE)を動作させる方法であって、
前記通信デバイスが通常動作モードで動作するとき、前記AFEの第1の周波数合成器を活動状態にするステップであって、前記第1の周波数合成器が前記AFEの送信(TX)チェーンおよび受信(RX)チェーンに結合される、ステップと、
前記通信デバイスが低電力モードで動作するとき、前記AFEの第2の周波数合成器を活動状態にするステップであって、前記第2の周波数合成器が、前記低電力モードの間に前記RXチェーンを介して受信される搬送波信号を処理するための局部発振器(LO)信号を生成するために前記TXチェーンの1つまたは複数の構成要素を利用する、ステップと
を含む、方法。
【請求項２】
前記第2の周波数合成器が、1つまたは複数の配信トラフィック表示マップ(DTIM)期間中にビーコンフレームを受信するためだけに使用される、請求項1に記載の方法。
【請求項３】
前記デバイスが前記低電力モードで動作するとき、前記TXチェーン内に設けられたミキサを非活動状態にするステップであって、前記ミキサがインダクタのセットに結合された電圧源によって給電される、ステップ
をさらに含む、請求項1に記載の方法。
【請求項４】
前記電圧源またはインダクタの前記セットのうちの少なくとも一方が、前記第2の周波数合成器および前記TXチェーンによって共有される、請求項3に記載の方法。
【請求項５】
前記デバイスが前記通常動作モードで動作するとき、前記第2の周波数合成器の電圧制御発振器(VCO)を非活動状態にするステップであって、前記VCOがインダクタキャパシタ(LC)タンク回路内の振動電流に少なくとも部分的に基づいて前記LO信号を生成する、ステップ
をさらに含む、請求項4に記載の方法。
【請求項６】
前記デバイスが前記低電力モードで動作するとき、前記VCOが所望の周波数で発振することを可能にするために前記LCタンク回路のキャパシタンスを調整するステップ
をさらに含む、請求項5に記載の方法。
【請求項７】
共有される前記電圧源が、前記デバイスの動作モードに少なくとも部分的に基づいて複数の電圧のうちの1つを提供するように構成される、請求項5に記載の方法。
【請求項８】
通信デバイスのためのアナログフロントエンド(AFE)であって、
前記通信デバイスが通常動作モードで動作するとき、前記AFEの第1の周波数合成器を活動状態にするための手段であって、前記第1の周波数合成器が前記AFEの送信(TX)チェーンおよび受信(RX)チェーンに結合される、手段と、
前記通信デバイスが低電力モードで動作するとき、前記AFEの第2の周波数合成器を活動状態にするための手段であって、前記第2の周波数合成器が、前記低電力モードの間に前記RXチェーンを介して受信される搬送波信号を処理するための局部発振器(LO)信号を生成するために前記TXチェーンの1つまたは複数の構成要素を利用する、手段と
を含む、アナログフロントエンド。
【請求項９】
前記第2の周波数合成器が、1つまたは複数の配信トラフィック表示マップ(DTIM)期間中にビーコンフレームを受信するためだけに使用される、請求項8に記載のアナログフロントエンド。
【請求項１０】
前記デバイスが前記低電力モードで動作するとき、前記TXチェーン内に設けられたミキサを非活動状態にするための手段であって、前記ミキサがインダクタのセットに結合された電圧源によって給電される、手段
をさらに含む、請求項8に記載のアナログフロントエンド。
【請求項１１】
前記電圧源またはインダクタの前記セットのうちの少なくとも一方が、前記第2の周波数合成器および前記TXチェーンによって共有される、請求項10に記載のアナログフロントエンド。
【請求項１２】
前記デバイスが前記通常動作モードで動作するとき、前記第2の周波数合成器の電圧制御発振器(VCO)を非活動状態にするための手段であって、前記VCOがインダクタキャパシタ(LC)タンク回路内の振動電流に少なくとも部分的に基づいて前記LO信号を生成する、手段
をさらに含む、請求項11に記載のアナログフロントエンド。
【請求項１３】
前記デバイスが前記低電力モードで動作するとき、前記VCOが所望の周波数で発振することを可能にするために前記LCタンク回路のキャパシタンスを調整するための手段
をさらに含む、請求項12に記載のアナログフロントエンド。
【請求項１４】
共有される前記電圧源が、前記デバイスの動作モードに少なくとも部分的に基づいて複数の電圧のうちの1つを提供するように構成される、請求項12に記載のアナログフロントエンド。
【請求項１５】
コンピュータ上で実行されたときに、請求項１から７のいずれか一項に記載の方法を実行するための命令を含む、コンピュータプログラム。
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
医療データ取得システム（MDAS）の品質評価データ（QRD）を決定するための方法であって、
医療データを取得するための患者について、前記MDASのデータ取得コンポーネントによって、データ取得プロシージャ（DAP）を実行している最中に発生した利用エラーを含む、第１データを受信するステップと、
前記第１データの関数として第２データを生成するステップであり、前記第２データは、前記利用エラーのカテゴリを示しており、少なくとも一つの利用エラーが、既定のパラメータに基づいて、対応するカテゴリに対して割り当てられる、ステップと、
MDAS利用の総数、対応する前記利用エラーのカテゴリについて対応する係数、および、対応するエラーのカテゴリにおける利用エラーの数、の関数として前記QRDを決定するステップと、
を含み、
前記QRDは、以下の式に従って決定され、
【数１】
2018509720.tif 000001
ここで、Nは、MDAS利用の総数であり、Fnは、利用エラーのカテゴリに対応する係数であり、Lnは、エラーのカテゴリにおける利用エラーの数であり、かつ、kは、利用エラーのカテゴリの総数であり、
前記方法は、さらに、
前記QRDの関数として、対応するアクションを決定するステップ、
を含み、
前記対応するアクションは、
前記MDASに対してインストラクションを送信すること、
前記データ取得コンポーネントをリモートでシャットダウンすること、
メンテナンス勧告を発行すること、
前記MDASをリブートすること、
前記患者の再配置を推奨すること、
メンテナンスをスケジュールすること、
前記データ取得コンポーネントの交換を推奨すること、
前記データ取得コンポーネントにおいて診断テストを実行すること、および、
前記データ取得コンポーネントの構成要素を調整すること、
のうち少なくとも一つを含む、
方法。
【請求項２】
前記MDASは、
磁気共鳴画像化（MRI）装置、コンピュータ断層撮影（CT）装置、超音波装置、X線装置、および、核磁気共鳴（NMR）装置、
のうち一つを含む、請求項１に記載の方法。
【請求項３】
前記利用エラーのカテゴリは、
致命的な利用エラーを含む、カテゴリL1、
主要な利用エラーを含む、カテゴリL2、
回復可能な利用エラーを含む、カテゴリL3、および、
軽微な利用エラーを含む、カテゴリL4、
のうち少なくとも一つを含む、請求項１に記載の方法。
【請求項４】
前記対応する係数F1は、0.5であり、
前記対応する係数F2は、0.35であり、
前記対応する係数F3は、0.01であり、かつ、
前記対応する係数F4は、0.006である、
請求項３に記載の方法。
【請求項５】
前記第１データは、さらに、
前記データ取得コンポーネントまたは前記MDASのシリアル参照番号（SRN）、前記DAPの最中に発生した前記利用エラーの時間／日付スタンプ、前記MDASを使用して前記DAPを実行した技術者の識別番号、および、前記利用エラーの時間／日付における前記DAPの最中の前記データ取得コンポーネントの環境データ、
のうち少なくとも一つを含む、請求項１に記載の方法。
【請求項６】
前記受信するステップは、さらに、
前記第１データを取り出すために、データマイニングプロセスを利用するステップ、
を含む、請求項１に記載の方法。
【請求項７】
前記対応する係数は、ニューラルネットワーク型の計算モデルを利用して決定される、
請求項１に記載の方法。
【請求項８】
医療データ取得システム（MDAS）の品質評価データ（QRD）を決定するための装置であって、
医療データを取得するための患者について、前記MDASのデータ取得コンポーネントによって、データ取得プロシージャ（DAP）を実行している最中に発生した利用エラーを含む、第１データを受信するメモリと、
前記第１データの関数として第２データを生成するプロセッサであり、前記第２データは、前記利用エラーのカテゴリを示しており、少なくとも一つの利用エラーが、既定のパラメータに基づいて、対応するカテゴリに対して割り当てられる、プロセッサと、
を含み、
前記プロセッサは、MDAS利用の総数、対応する前記利用エラーのカテゴリについて対応する係数、および、対応するエラーのカテゴリにおける利用エラーの数、の関数として前記QRDを決定し、
前記QRDは、以下の式に従って決定され、
【数２】
2018509720.tif 000002
ここで、Nは、MDAS利用の総数であり、Fnは、利用エラーのカテゴリに対応する係数であり、Lnは、エラーのカテゴリにおける利用エラーの数であり、かつ、kは、利用エラーのカテゴリの総数であり、
前記プロセッサは、
前記QRDの関数として、対応するアクションを決定し、
前記対応するアクションは、
前記MDASに対してインストラクションを送信すること、
前記データ取得コンポーネントをリモートでシャットダウンすること、
メンテナンス勧告を発行すること、
前記MDASをリブートすること、
前記患者の再配置を推奨すること、
メンテナンスをスケジュールすること、
前記データ取得コンポーネントの交換を推奨すること、
前記データ取得コンポーネントにおいて診断テストを実行すること、および、
前記データ取得コンポーネントの構成要素を調整すること、
のうち少なくとも一つを含む、
装置。
【請求項９】
前記MDASは、
磁気共鳴画像化（MRI）装置、コンピュータ断層撮影（CT）装置、超音波装置、X線装置、および、核磁気共鳴（NMR）装置、
のうち一つを含む、請求項８に記載の装置。
【請求項１０】
前記利用エラーのカテゴリは、
致命的な利用エラーを含む、カテゴリL1、
主要な利用エラーを含む、カテゴリL2、
回復可能な利用エラーを含む、カテゴリL3、および、
軽微な利用エラーを含む、カテゴリL4、
のうち少なくとも一つを含む、請求項８に記載の装置。
【請求項１１】
前記対応する係数F1は、0.5であり、
前記対応する係数F2は、0.35であり、
前記対応する係数F3は、0.01であり、かつ、
前記対応する係数F4は、0.006である、
請求項１０に記載の装置。
【請求項１２】
前記第１データは、さらに、
前記データ取得コンポーネントまたは前記MDASのシリアル参照番号（SRN）、前記DAPの最中に発生した前記利用エラーの時間／日付スタンプ、前記MDASを使用して前記DAPを実行した技術者の識別番号、および、前記利用エラーの時間／日付における前記DAPの最中の前記データ取得コンポーネントの環境データ、
のうち少なくとも一つを含む、請求項８に記載の装置。
【請求項１３】
前記受信することは、さらに、
前記第１データを取り出すために、データマイニングプロセスを利用すること、
を含む、請求項８に記載の装置。
【請求項１４】
前記対応する係数は、ニューラルネットワーク型の計算モデルを利用して決定される、
請求項８に記載の装置。
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
１つ以上の導体トレースを有する３次元物体を形成するための方法であって、
第１の材料を含む溶液を中間構造の注入構造に注入する工程であって、前記中間構造は、１つ以上の導体トレースのための１つ以上の予め定義された場所を有し、前記中間構造は、前記第１の材料よりも低い電気伝導性、熱導電性、またはその両方を有する第２の材料で形成されており、前記注入構造を備える前記中間構造がアディティブに形成されることによって導体トレース、前記中間構造および前記注入構造の１つ以上を有する前記３次元物体を形成した後、前記第１の材料が前記注入構造を通じて前記中間構造の１つ以上の予め定義された場所に注入されて前記１つ以上の導体トレースを形成する、工程と、
前記中間構造の１つ以上の予め定義された場所に前記第１の材料を注入する工程に続き、前記中間構造から前記注入構造を除去する工程と、
前記中間構造の前記１つ以上の予め定義された場所に注入された前記第１の材料を含む前記溶液を硬化する工程と、
を備える、方法。
【請求項２】
前記第２の材料は、ポリマー材料、セラミック材料、有機材料、複合材料、金属材料、無機材料、または生物材料である、請求項１に記載の方法。
【請求項３】
前記第１の材料は、金属、金属充填ポリマー、または有機導体材料である、請求項１に記載の方法。
【請求項４】
前記溶液は、前記溶液に電流を流してジュール熱を生成することによって硬化される、請求項１に記載の方法。
【請求項５】
前記１つ以上の予め定義された場所は、チャネルであり、前記第１の材料を含む前記溶液は、前記チャネルの少なくとも一部に注入される、請求項１に記載の方法。
【請求項６】
前記注入構造は、前記１つ以上の予め定義された場所と流体連通する注入チャネルを備え、前記第１の材料は、前記注入構造の前記注入チャネルを通じて前記１つ以上の予め定義された場所に注入される、請求項１に記載の方法。
【請求項７】
前記溶液を注入する工程中に１つ以上の注入パラメータを監視するために前記注入構造に隣接する１つ以上のセンサを使用する工程をさらに備える、請求項６に記載の方法。
【請求項８】
前記溶液を注入する工程中に前記１つ以上の注入パラメータを調整する工程をさらに備える、請求項７に記載の方法。
【請求項９】
前記注入構造を使用して前記溶液を排出する工程をさらに備える、請求項６に記載の方法。
【請求項１０】
前記第１の材料は、前記第２の材料の電気伝導性よりも高い電気伝導性を有する、請求項１に記載の方法。
【請求項１１】
前記１つ以上の導体トレースは複数の導体トレースである、請求項１に記載の方法。
【請求項１２】
前記複数の導体トレースのうちの所与の１つは、前記複数の導体トレースのうちの別の１つから電気的に絶縁されている、請求項１１に記載の方法。
【請求項１３】
前記複数の導体トレースの各々は、電気的接続性、熱接続性、またはその両方のために前記中間構造の外面に接触パッドを備える、請求項１１に記載の方法。
【請求項１４】
前記１つ以上の導体トレースは、前記中間構造内にあり、前記方法は、前記１つ以上の導体トレースの少なくとも一部を露出させる工程をさらに含む、請求項１に記載の方法。
【請求項１５】
前記中間構造のモデル設計は、前記１つ以上の予め定義された場所についての１つ以上の構造上の制約を含む、請求項１に記載の方法。
【請求項１６】
電気回路を前記１つ以上の導体トレースと電気的に接触させる工程をさらに備える、請求項１に記載の方法。
【請求項１７】
前記注入構造を除去する工程は、前記中間構造から前記注入構造を破壊する工程を備える、請求項１に記載の方法。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
その中に配置された、少なくとも１つのＲＦ電極および少なくとも１つのアンカー電極を有する基板と、
少なくとも１つのアンカー電極の上に設けられた絶縁性層と、
絶縁性層の上に設けられた導電性層であって、少なくとも１つのアンカー電極、絶縁性層、および導電性層がＭＩＭキャパシタを形成する導電性層と、
基板の上に設けられ、導電性層に接続された少なくとも１つのＭＥＭＳブリッジであって、ＲＦ電極から第１の距離を隔てた位置から、ＲＦ電極から第１の距離より小さい第２の距離だけ隔てた位置まで可動である、少なくとも１つのＭＥＭＳブリッジと、を含むＤＶＣ。
【請求項２】
さらに、導電性層の上に設けられたオーミックコンタクト層を含む請求項１に記載のＤＶＣ。
【請求項３】
少なくとも１つのＭＥＭＳブリッジがオーミックコンタクト層に接続される請求項２に記載のＤＶＣ。
【請求項４】
絶縁性層は、ＲＦ電極の上に、少なくとも部分的に設けられる請求項３に記載のＤＶＣ。
【請求項５】
少なくとも導電性層の一部が、ＲＦ電極の上に設けられる請求項４に記載のＤＶＣ。
【請求項６】
オーミックコンタクト層は、Ｗ、Ｐｔ、Ｉｒ、Ｒｈ、Ｒｕ、ＲｕＯ２、ＩＴＯおよびＭｏからなるグループから選択される材料を含む請求項５に記載のＤＶＣ。
【請求項７】
少なくとも１つのアンカー電極は、２つのアンカー電極を含む請求項１に記載のＤＶＣ。
【請求項８】
それぞれのアンカー電極は、絶縁性層の少なくとも一部がその上に設けられる請求項７に記載のＤＶＣ。
【請求項９】
導電性層の少なくとも一部は、それぞれのアンカー電極の上に設けられる請求項８に記載のＤＶＣ。
【請求項１０】
少なくとも１つのＭＥＭＳブリッジは、複数のＭＥＭＳブリッジを含み、それぞれのＭＥＭＳブリッジは、少なくとも１つのアンカー電極に接続される請求項１に記載のＤＶＣ。
【請求項１１】
それぞれのＭＥＭＳブリッジは、異なる導電性層に接続される請求項１０に記載のＤＶＣ。
【請求項１２】
基板の上に複数の電極を形成する工程であって、少なくとも１つの電極はアンカー電極で、少なくとも１つの電極はＲＦ電極である工程と、
複数の電極の上に絶縁性層を堆積する工程と、
絶縁性層の少なくとも一部を除去して、ＲＦ電極の少なくとも一部を露出させる工程と、
絶縁性層と露出したＲＦ電極の上に導電性層を堆積する工程と、
導電性層の選択された部分を除去する工程と、
導電性層の一部の上にオーミックコンタクトを形成する工程と、
オーミックコンタクトと接続するＭＥＭＳブリッジを形成する工程と、
を含むＤＶＣの作製方法。
【請求項１３】
ＭＥＭＳブリッジは、ＲＦ電極から距離を隔てた請求項１２に記載の方法。
【請求項１４】
オーミックコンタクトの第１部分は、ＲＦ電極と接続された導電性層の上に設けられる請求項１３に記載の方法。
【請求項１５】
ＭＥＭＳブリッジは、オーミックコンタクトの第１部分から距離を隔てた請求項１４に記載の方法。
【請求項１６】
オーミックコンタクトの第２部分は、絶縁性層の上に設けられる請求項１５に記載の方法。
【請求項１７】
ＭＥＭＳブリッジは、オーミックコンタクトの第２部分に接続する請求項１６に記載の方法。
【請求項１８】
オーミックコンタクトは、Ｗ、Ｐｔ、Ｉｒ、Ｒｈ、Ｒｕ、ＲｕＯ２、ＩＴＯおよびＭｏからなるグループから選択される材料を含む請求項１７に記載の方法。